(57)【要約】【課題】本発明は編み用糸交換装置を開示した。【解決手段】主体を含み、前記主体の中には連通チャンバが設置され、前記連通チャンバの前後側にはスライド溝が連通するように設置され、前側の前記スライド溝の中には押し板がスライドできるように設置され、後側の前記スライド溝の中にはスライドブロックがスライドできるように設置され、前記スライドブロックと前記押し板の下端とがそれぞれ前記スライド溝との間には押しばねが固定的に設置され、前記スライドブロックには回転軸が回転できるように設置され、前記回転軸の前端には固定ブロックが固定的に設置され、前記固定ブロックの中には押し装置が設置され、前記押し装置と前記固定ブロックとがスライドできるように連結される。【選択図】図１
2020180418.tif 000002
【特許請求の範囲】
【請求項１】
正面視で、主体を含み、前記主体の中には連通チャンバが設置され、前記連通チャンバの前後側にはスライド溝が連通するように設置され、前側の前記スライド溝の中には押し板がスライドできるように設置され、後側の前記スライド溝の中にはスライドブロックがスライドできるように設置され、前記スライドブロックと前記押し板の下端とがそれぞれ前記スライド溝との間には押しばねが固定的に設置され、前記スライドブロックには回転軸が回転できるように設置され、前記回転軸の前端には固定ブロックが固定的に設置され、前記固定ブロックの中には押し装置が設置され、前記押し装置と前記固定ブロックとがスライドできるように連結され、前記固定ブロックの前端には前記押し板と当接している固定軸が固定的に設置され、前記連通チャンバの下端壁の中には接着剤溝が連通するように設置され、前記接着剤溝の前後側には凹溝が連通するように設置され、前記固定軸の中にはスライド板がスライドできるように設置され、前記スライド板において互いに離れている一端と前記凹溝との間には復帰ばねが固定的に設置され、前記接着剤溝の下側にはプッシュチャンバが連通するように設置され、前記プッシュチャンバの中にはプッシュブロックがスライドできるように設置され、前記プッシュブロックの上端には固定ロッドが固定的に設置され、前記接着剤溝の前側には連動装置が設置され、前記連動装置と前記固定ロッドとが回転できるように連結され、前記プッシュブロックの中には連通溝が設置され、前記連通溝の中には密封板がスライドできるように設置され、前記密封板の下端と前記連通溝との間には前後に対称している伸縮ばねが固定的に設置され、前記プッシュチャンバの後側には連結溝により接着剤保存チャンバが連通するように設置され、前記連結溝の中には液体の一方向の流れを制御するボール弁がスライドできるように設置され、前記ボール弁の左端と前記連結溝との間には連結ばねが固定的に設置され、前記接着剤溝の外側には伝動装置が設置され、前記伝動装置と前記押し装置とが当接でき、前記主体の右端壁の中には開け溝が設置され、前記開け溝と前記連通チャンバとの間には糸編み溝が連通するように設置され、前記開け溝の下端壁には支持ロッドが固定的に設置され、前記支持ロッドには編み糸が設置され、前記編み糸の左端が前記糸編み溝と前記連通チャンバとを貫通し外部まで伸びて編まれ、前記糸編み溝の外側には切断装置が設置され、前記切断装置が前記編み糸を切ることができ、前記糸編み溝の後側には前記連通チャンバと連通している切り替え溝が設置され、
前記編み糸と交換待ちの糸とが接着剤により連結されることを特徴とする編み用糸交換装置。
【請求項２】
前記押し装置は前記固定ブロックの中に設置される押し溝を含み、前記押し溝の中には押しブロックがスライドできるように設置され、前記押しブロックの前端には固定板が固定的に設置され、前記押しブロックには前記押しブロックを復帰させることができる復帰部品が左右に対称的に固定的に設置され、前記押し溝の左右側には対称しているＴ形溝が設置され、前記Ｔ形溝の中には挟みブロックがスライドできるように設置され、前記挟みブロックにおいて互いに近接している一端と前記Ｔ形溝との間には回転ばねが固定的に設置され、
前記押しブロックを下に押し、それにより前記挟みブロックにより糸を挟むことを特徴とする請求項１に記載の編み用糸交換装置。
【請求項３】
前記連動装置は前記連通チャンバと連通している空き溝を含み、前記空き溝の中には押しロッドがスライドできるように設置され、前記押しロッドの下端と前記空き溝との間には圧力ばねが固定的に設置され、前記空き溝と前記プッシュチャンバとの間には回転チャンバが連通するように設置され、前記回転チャンバの中には前端が前記押しロッドの下端と回転できるように連結される回転ロッドが回転できるように設置され、前記回転ロッドの後端と前記固定ロッドの上端とが回転できるように連結され、
前記押しロッドが下がり前記プッシュブロックを上昇させ接着剤を前記接着剤溝の中にプッシュし糸を連結することを特徴とする請求項１に記載の編み用糸交換装置。
【請求項４】
前記伝動装置は前記接着剤溝の左右側に対称的に設置される滑り溝を含み、前記滑り溝の中には挟みスライドブロックがスライドできるように設置され、前記挟みスライドブロックの中には挟み溝が設置され、前記挟みスライドブロックと前記滑り溝との間には圧着ばねが固定的に設置され、右側の前記滑り溝の下端壁にはプッシュ溝が連通するように設置され、前記プッシュ溝の中には上端が前記挟みスライドブロックと当接できる連結ブロックがスライドできるように設置され、前記連結ブロックの下端と前記プッシュ溝との間には押圧ばねが固定的に設置され、前記プッシュ溝の左端壁の中には前記連結ブロックと噛合している回転歯車が回転できるように設置され、前記回転歯車と前記切断装置とが伝動できるように連結され、
前記挟みスライドブロックが向かい合って移動し前記切断装置を作動させることを特徴とする請求項１に記載の編み用糸交換装置。
【請求項５】
前記切断装置は前記糸編み溝と連通している切断溝を含み、前記切断溝の中には昇降板がスライドできるように設置され、前記切断溝の後端壁の中には前記昇降板と噛合している平歯車が回転できるように設置され、前記平歯車と前記回転歯車との間がベルトにより伝動できるように連結され、前記昇降板の上端には移動溝が設置され、前記移動溝の中には前後に対称している移動ブロックがスライドできるように設置され、前記移動ブロックの間にはトーションばねが固定的に設置され、前記移動ブロックにはハサミが回転できるように設置され、前記ハサミの間が交差し回転できるように連結され、
前記昇降板が下がり前記ハサミを向かい合って回転させ前記編み糸を切断させることを特徴とする請求項１に記載の編み用糸交換装置。
【発明の詳細な説明】
【技術分野】
【０００１】
本発明は編み製品技術分野を取り上げて、具体的には編み用糸交換装置である。
【背景技術】
【０００２】
現在、編むときの糸交換操作は人工で手動で行われるが、編み製品を放し、両手で共に操作し交換用の糸と使用中の糸とを結びつける必要があるだけではなく、こういう方式で連結すると、結び目が大きく美しさと快適さに影響し、また、ハサミなどの補助道具が必要とし、携帯に不便である。
従って、既存技術の編み用糸交換装置を更に改善する必要があり、それにより使用利便性を高める。
【先行技術文献】
【特許文献】
【０００３】
【特許文献１】中国特許出願公開第１０８３６０１３５号明細書
【発明の概要】
【発明が解決しようとする課題】
【０００４】
本発明の目的は編み用糸交換装置を提供し、それは上記の現在の技術中の問題を解決できる。
【課題を解決するための手段】
【０００５】
本発明の編み用糸交換装置は、主体を含み、前記主体の中には連通チャンバが設置され、前記連通チャンバの前後側にはスライド溝が連通するように設置され、前側の前記スライド溝の中には押し板がスライドできるように設置され、後側の前記スライド溝の中にはスライドブロックがスライドできるように設置され、前記スライドブロックと前記押し板の下端とがそれぞれ前記スライド溝との間には押しばねが固定的に設置され、前記スライドブロックには回転軸が回転できるように設置され、前記回転軸の前端には固定ブロックが固定的に設置され、前記固定ブロックの中には押し装置が設置され、前記押し装置と前記固定ブロックとがスライドできるように連結され、前記固定ブロックの前端には前記押し板と当接している固定軸が固定的に設置され、前記連通チャンバの下端壁の中には接着剤溝が連通するように設置され、前記接着剤溝の前後側には凹溝が連通するように設置され、前記固定軸の中にはスライド板がスライドできるように設置され、前記スライド板において互いに離れている一端と前記凹溝との間には復帰ばねが固定的に設置され、前記接着剤溝の下側にはプッシュチャンバが連通するように設置され、前記プッシュチャンバの中にはプッシュブロックがスライドできるように設置され、前記プッシュブロックの上端には固定ロッドが固定的に設置され、前記接着剤溝の前側には連動装置が設置され、前記連動装置と前記固定ロッドとが回転できるように連結され、前記プッシュブロックの中には連通溝が設置され、前記連通溝の中には密封板がスライドできるように設置され、前記密封板の下端と前記連通溝との間には前後に対称している伸縮ばねが固定的に設置され、前記プッシュチャンバの後側には連結溝により接着剤保存チャンバが連通するように設置され、前記連結溝の中には液体の一方向の流れを制御するボール弁がスライドできるように設置され、前記ボール弁の左端と前記連結溝との間には連結ばねが固定的に設置され、前記接着剤溝の外側には伝動装置が設置され、前記伝動装置と前記押し装置とが当接でき、前記主体の右端壁の中には開け溝が設置され、前記開け溝と前記連通チャンバとの間には糸編み溝が連通するように設置され、前記開け溝の下端壁には支持ロッドが固定的に設置され、前記支持ロッドには編み糸が設置され、前記編み糸の左端が前記糸編み溝と前記連通チャンバとを貫通し外部まで伸びて編まれ、前記糸編み溝の外側には切断装置が設置され、前記切断装置が前記編み糸を切ることができ、前記糸編み溝の後側には前記連通チャンバと連通している切り替え溝が設置され、
前記編み糸と交換待ちの糸とが接着剤により連結される。
【０００６】
さらなる技術プラン、前記押し装置は前記固定ブロックの中に設置される押し溝を含み、前記押し溝の中には押しブロックがスライドできるように設置され、前記押しブロックの前端には固定板が固定的に設置され、前記押しブロックには前記押しブロックを復帰させることができる復帰部品が左右に対称的に固定的に設置され、前記押し溝の左右側には対称しているＴ形溝が設置され、前記Ｔ形溝の中には挟みブロックがスライドできるように設置され、前記挟みブロックにおいて互いに近接している一端と前記Ｔ形溝との間には回転ばねが固定的に設置され、
前記押しブロックを下に押し、それにより前記挟みブロックにより糸を挟む。
【０００７】
さらなる技術プラン、前記連動装置は前記連通チャンバと連通している空き溝を含み、前記空き溝の中には押しロッドがスライドできるように設置され、前記押しロッドの下端と前記空き溝との間には圧力ばねが固定的に設置され、前記空き溝と前記プッシュチャンバとの間には回転チャンバが連通するように設置され、前記回転チャンバの中には前端が前記押しロッドの下端と回転できるように連結される回転ロッドが回転できるように設置され、前記回転ロッドの後端と前記固定ロッドの上端とが回転できるように連結され、
前記押しロッドが下がり前記プッシュブロックを上昇させ接着剤を前記接着剤溝の中にプッシュし糸を連結する。
【０００８】
さらなる技術プラン、前記伝動装置は前記接着剤溝の左右側に対称的に設置される滑り溝を含み、前記滑り溝の中には挟みスライドブロックがスライドできるように設置され、前記挟みスライドブロックの中には挟み溝が設置され、前記挟みスライドブロックと前記滑り溝との間には圧着ばねが固定的に設置され、右側の前記滑り溝の下端壁にはプッシュ溝が連通するように設置され、前記プッシュ溝の中には上端が前記挟みスライドブロックと当接できる連結ブロックがスライドできるように設置され、前記連結ブロックの下端と前記プッシュ溝との間には押圧ばねが固定的に設置され、前記プッシュ溝の左端壁の中には前記連結ブロックと噛合している回転歯車が回転できるように設置され、前記回転歯車と前記切断装置とが伝動できるように連結され、
前記挟みスライドブロックが向かい合って移動し前記切断装置を作動させる。
【０００９】
さらなる技術プラン、前記切断装置は前記糸編み溝と連通している切断溝を含み、前記切断溝の中には昇降板がスライドできるように設置され、前記切断溝の後端壁の中には前記昇降板と噛合している平歯車が回転できるように設置され、前記平歯車と前記回転歯車との間がベルトにより伝動できるように連結され、前記昇降板の上端には移動溝が設置され、前記移動溝の中には前後に対称している移動ブロックがスライドできるように設置され、前記移動ブロックの間にはトーションばねが固定的に設置され、前記移動ブロックにはハサミが回転できるように設置され、前記ハサミの間が交差し回転できるように連結され、
前記昇降板が下がり前記ハサミを向かい合って回転させ前記編み糸を切断させる。
【発明の効果】
【００１０】
本発明の有益的な効果は：本発明は構造が簡単で、操作が便利であり、片手で操作でき、左手で編みものを持つことに影響を与えなく、時間を節約し、そして、交換の糸が編み糸と連結された後に自動的に切断され、人工操作を減らし、また本発明装置が携帯便利である。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の編み用糸交換装置が使用する装置の内部全体構造概略図
【図２】図２は本発明の図１のＡ―Ａ方向の構造概略図
【図３】図３は本発明の図２のＢの拡大構造概略図
【図４】図４は本発明の図１のＣ―Ｃ方向の構造概略図
【発明を実施するための形態】
【００１３】
図１〜４を参照し、本発明の編み用糸交換装置は、主体１０を含み、前記主体１０の中には連通チャンバ１１が設置され、前記連通チャンバ１１の前後側にはスライド溝１２が連通するように設置され、前側の前記スライド溝１２の中には押し板１８がスライドできるように設置され、後側の前記スライド溝１２の中にはスライドブロック１３がスライドできるように設置され、前記スライドブロック１３と前記押し板１８の下端とがそれぞれ前記スライド溝１２との間には押しばね１４が固定的に設置され、前記スライドブロック１３には回転軸１５が回転できるように設置され、前記回転軸１５の前端には固定ブロック１６が固定的に設置され、前記固定ブロック１６の中には押し装置１００が設置され、前記押し装置１００と前記固定ブロック１６とがスライドできるように連結され、前記固定ブロック１６の前端には前記押し板１８と当接している固定軸１７が固定的に設置され、前記連通チャンバ１１の下端壁の中には接着剤溝２６が連通するように設置され、前記接着剤溝２６の前後側には凹溝２７が連通するように設置され、前記固定軸１７の中にはスライド板２８がスライドできるように設置され、前記スライド板２８において互いに離れている一端と前記凹溝２７との間には復帰ばね２９が固定的に設置され、前記接着剤溝２６の下側にはプッシュチャンバ３１が連通するように設置され、前記プッシュチャンバ３１の中にはプッシュブロック３２がスライドできるように設置され、前記プッシュブロック３２の上端には固定ロッド４０が固定的に設置され、前記接着剤溝２６の前側には連動装置２００が設置され、前記連動装置２００と前記固定ロッド４０とが回転できるように連結され、前記プッシュブロック３２の中には連通溝３３が設置され、前記連通溝３３の中には密封板３４がスライドできるように設置され、前記密封板３４の下端と前記連通溝３３との間には前後に対称している伸縮ばね３５が固定的に設置され、前記プッシュチャンバ３１の後側には連結溝３６により接着剤保存チャンバ３７が連通するように設置され、前記連結溝３６の中には液体の一方向の流れを制御するボール弁３８がスライドできるように設置され、前記ボール弁３８の左端と前記連結溝３６との間には連結ばね３９が固定的に設置され、前記接着剤溝２６の外側には伝動装置３００が設置され、前記伝動装置３００と前記押し装置１００とが当接でき、前記主体１０の右端壁の中には開け溝４３が設置され、前記開け溝４３と前記連通チャンバ１１との間には糸編み溝５０が連通するように設置され、前記開け溝４３の下端壁には支持ロッド４７が固定的に設置され、前記支持ロッド４７には編み糸４８が設置され、前記編み糸４８の左端が前記糸編み溝５０と前記連通チャンバ１１とを貫通し外部まで伸びて編まれ、前記糸編み溝５０の外側には切断装置４００が設置され、前記切断装置４００が前記編み糸４８を切ることができ、前記糸編み溝５０の後側には前記連通チャンバ１１と連通している切り替え溝４９が設置され、
前記編み糸４８と交換待ちの糸とが接着剤により連結される。
【００１４】
有益的には、前記押し装置１００は前記固定ブロック１６の中に設置される押し溝２０を含み、前記押し溝２０の中には押しブロック２１がスライドできるように設置され、前記押しブロック２１の前端には固定板３０が固定的に設置され、前記押しブロック２１には前記押しブロック２１を復帰させることができる復帰部品２２が左右に対称的に固定的に設置され、前記押し溝２０の左右側には対称しているＴ形溝２３が設置され、前記Ｔ形溝２３の中には挟みブロック２４がスライドできるように設置され、前記挟みブロック２４において互いに近接している一端と前記Ｔ形溝２３との間には回転ばね２５が固定的に設置され、
前記押しブロック２１を下に押し、それにより前記挟みブロック２４により糸を挟む。
【００１５】
有益的には、前記連動装置２００は前記連通チャンバ１１と連通している空き溝４４を含み、前記空き溝４４の中には押しロッド４５がスライドできるように設置され、前記押しロッド４５の下端と前記空き溝４４との間には圧力ばね４６が固定的に設置され、前記空き溝４４と前記プッシュチャンバ３１との間には回転チャンバ４１が連通するように設置され、前記回転チャンバ４１の中には前端が前記押しロッド４５の下端と回転できるように連結される回転ロッド４２が回転できるように設置され、前記回転ロッド４２の後端と前記固定ロッド４０の上端とが回転できるように連結され、
前記押しロッド４５が下がり前記プッシュブロック３２を上昇させ接着剤を前記接着剤溝２６の中にプッシュし糸を連結する。
【００１６】
有益的には、前記伝動装置３００は前記接着剤溝２６の左右側に対称的に設置される滑り溝６３を含み、前記滑り溝６３の中には挟みスライドブロック６４がスライドできるように設置され、前記挟みスライドブロック６４の中には挟み溝６５が設置され、前記挟みスライドブロック６４と前記滑り溝６３との間には圧着ばね６６が固定的に設置され、右側の前記滑り溝６３の下端壁にはプッシュ溝６０が連通するように設置され、前記プッシュ溝６０の中には上端が前記挟みスライドブロック６４と当接できる連結ブロック５９がスライドできるように設置され、前記連結ブロック５９の下端と前記プッシュ溝６０との間には押圧ばね６１が固定的に設置され、前記プッシュ溝６０の左端壁の中には前記連結ブロック５９と噛合している回転歯車６２が回転できるように設置され、前記回転歯車６２と前記切断装置４００とが伝動できるように連結され、
前記挟みスライドブロック６４が向かい合って移動し前記切断装置４００を作動させる。
【００１７】
有益的には、前記切断装置４００は前記糸編み溝５０と連通している切断溝５１を含み、前記切断溝５１の中には昇降板５３がスライドできるように設置され、前記切断溝５１の後端壁の中には前記昇降板５３と噛合している平歯車５７が回転できるように設置され、前記平歯車５７と前記回転歯車６２との間がベルト５８により伝動できるように連結され、前記昇降板５３の上端には移動溝５４が設置され、前記移動溝５４の中には前後に対称している移動ブロック５５がスライドできるように設置され、前記移動ブロック５５の間にはトーションばね５６が固定的に設置され、前記移動ブロック５５にはハサミ５２が回転できるように設置され、前記ハサミ５２の間が交差し回転できるように連結され、
前記昇降板５３が下がり前記ハサミ５２を向かい合って回転させ前記編み糸４８を切断させる。
【００１８】
初期状態には、編み糸４８の左端が編み製品と連結されており、連通溝３３の上端とプッシュチャンバ３１との間には接着剤がある。
【００１９】
糸を交換するとき、右視点で時計回りに回転軸１５を回転させ、固定軸１７と、固定ブロック１６及び回転軸１５に連通チャンバ１１を開けさせ、交換する必要がある糸を切り替え溝４９により連通チャンバ１１の中に置き、交換の糸の左端が左側の挟みブロック２４の左端に位置しており、回転軸１５を逆方向に回転させ固定ブロック１６を初期状態に戻らせ、そして、押しブロック２１を下に押し、復帰部品２２により固定ブロック１６を共に降下連動させ、それにより挟みブロック２４の下端と挟み溝６５とが挿入し連結され、編み糸４８と交換の糸とを共に挟み、押しブロック２１が下がり続け、それにより復帰部品２２が圧縮され、押しブロック２１の下端がスライド板２８をプッシュし逆方向に移動させ接着剤溝２６を開けさせ、押しブロック２１の下端が二本の糸を共に接着剤溝２６の中まで下に押し、このとき、固定板３０が押しロッド４５を下に押し降下させ、回転ロッド４２によりプッシュブロック３２上昇させ、プッシュブロック３２がプッシュチャンバ３１の中にある接着剤を圧着し接着剤溝２６の中に入らせ二本の糸を連結させ、このとき、ボール弁３８が前に移動し、接着剤保存チャンバ３７の中にある接着剤が連結溝３６によりプッシュチャンバ３１の中に入り、押しブロック２１が二本の糸を接着剤溝２６の中まで下に押す過程で、糸が挟みスライドブロック６４を向かい合って移動連動させ、連結ブロック５９を圧着し降下させ、回転歯車６２が時計回りに回転し、ベルト５８により平歯車５７を回転させ、昇降板５３が下がり、ハサミ５２が向かい合って回転し編み糸４８を切り、そして、押しブロック２１を放し、固定ブロック１６が共に上昇し、押しロッド４５が圧力ばね４６の作用により上昇し、それによりプッシュブロック３２が下がりプッシュチャンバ３１の下側にある接着剤をプッシュチャンバ３１の上側まで押し、挟みスライドブロック６４が圧着ばね６６の作用により逆方向に移動し、糸を伸ばし、それにより糸がスライド板２８の上側に位置しており、装置が初期状態に戻る。
【００２０】
本発明の有益的な効果は：本発明は構造が簡単で、操作が便利であり、片手で操作でき、左手で編みものを持つことに影響を与えなく、時間を節約し、そして、交換の糸が編み糸と連結された後に自動的に切断され、人工操作を減らし、また本発明装置が携帯便利である。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020180418.tif 000003
【図２】
2020180418.tif 000004
【図３】
2020180418.tif 000005
【図４】
2020180418.tif 000006
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
正面視で、主体を含み、前記主体の中には連通チャンバが設置され、前記連通チャンバの前後側にはスライド溝が連通するように設置され、前側の前記スライド溝の中には押し板がスライドできるように設置され、後側の前記スライド溝の中にはスライドブロックがスライドできるように設置され、前記スライドブロックと前記押し板の下端とがそれぞれ前記スライド溝との間には押しばねが固定的に設置され、前記スライドブロックには前記スライドブロックに対して回転できる回転軸が設置され、前記回転軸の前端には固定ブロックが固定的に設置され、前記固定ブロックの中には押し装置が設置され、前記押し装置と前記固定ブロックとがスライドできるように連結され、前記固定ブロックの前端には前記押し板と当接している固定軸が固定的に設置され、前記連通チャンバの下端壁の中には接着剤溝が連通するように設置され、前記接着剤溝の前後側には凹溝が連通するように設置され、前記凹溝の中にはスライド板がスライドできるように設置され、前記スライド板において互いに離れている一端と前記凹溝との間には復帰ばねが固定的に設置され、前記接着剤溝の下側にはプッシュチャンバが連通するように設置され、前記プッシュチャンバの中にはプッシュブロックがスライドできるように設置され、前記プッシュブロックの上端には固定ロッドが固定的に設置され、前記接着剤溝の前側には連動装置が設置され、前記連動装置と前記固定ロッドとが回転できるように連結され、前記プッシュブロックの中には連通溝が設置され、前記連通溝の中には密封板がスライドできるように設置され、前記密封板の下端と前記連通溝との間には前後に対称している伸縮ばねが固定的に設置され、前記プッシュチャンバの後側には連結溝により接着剤保存チャンバが連通するように設置され、前記連結溝の中には液体の一方向の流れを制御するボール弁がスライドできるように設置され、前記ボール弁の左端と前記連結溝との間には連結ばねが固定的に設置され、前記接着剤溝の外側には伝動装置が設置され、前記伝動装置と前記押し装置とが当接でき、前記主体の右端壁の中には開け溝が設置され、前記開け溝と前記連通チャンバとの間には糸編み溝が連通するように設置され、前記開け溝の下端壁には支持ロッドが固定的に設置され、前記支持ロッドには編み糸が設置され、前記編み糸の左端が前記糸編み溝と前記連通チャンバとを貫通し外部まで伸びて編まれ、前記糸編み溝の外側には切断装置が設置され、前記切断装置が前記編み糸を切ることができ、前記糸編み溝の後側には前記連通チャンバと連通している切り替え溝が設置され、
前記編み糸と交換待ちの糸とが接着剤により連結されることができ、
前記連動装置は前記連通チャンバと連通している空き溝を含み、前記空き溝の中には押しロッドがスライドできるように設置され、前記押しロッドの下端と前記空き溝との間には圧力ばねが固定的に設置され、前記空き溝と前記プッシュチャンバとの間には回転チャンバが連通するように設置され、前記回転チャンバの中には前端が前記押しロッドの下端と回転できるように連結される回転ロッドが回転できるように設置され、前記回転ロッドの後端と前記固定ロッドの上端とが回転できるように連結され、
前記押しロッドが下がり前記プッシュブロックを上昇させ接着剤を前記接着剤溝の中にプッシュし糸を連結することを特徴とする編み用糸交換装置。
【請求項２】
前記押し装置は前記固定ブロックの中に設置される押し溝を含み、前記押し溝の中には押しブロックがスライドできるように設置され、前記押しブロックの前端には固定板が固定的に設置され、前記押しブロックには前記押しブロックを復帰させることができる復帰部品が左右に対称的に固定的に設置され、前記押し溝の左右側には対称しているＴ形溝が設置され、前記Ｔ形溝の中には挟みブロックがスライドできるように設置され、前記挟みブロックにおいて互いに近接している一端と前記Ｔ形溝との間には回転ばねが固定的に設置され、
前記押しブロックを下に押し、それにより前記挟みブロックにより糸を挟むことを特徴とする請求項１に記載の編み用糸交換装置。
【請求項３】
前記伝動装置は前記接着剤溝の左右側に対称的に設置される滑り溝を含み、前記滑り溝の中には挟みスライドブロックがスライドできるように設置され、前記挟みスライドブロックの中には挟み溝が設置され、前記挟みスライドブロックと前記滑り溝との間には圧着ばねが固定的に設置され、右側の前記滑り溝の下端壁にはプッシュ溝が連通するように設置され、前記プッシュ溝の中には上端が前記挟みスライドブロックと当接できる連結ブロックがスライドできるように設置され、前記連結ブロックの下端と前記プッシュ溝との間には押圧ばねが固定的に設置され、前記プッシュ溝の左端壁の中には前記連結ブロックと噛合している回転歯車が回転できるように設置され、前記回転歯車と前記切断装置とが伝動できるように連結され、
前記挟みスライドブロックが向かい合って移動し前記切断装置を作動させることを特徴とする請求項１に記載の編み用糸交換装置。
【請求項４】
前記切断装置は前記糸編み溝と連通している切断溝を含み、前記切断溝の中には昇降板がスライドできるように設置され、前記切断溝の後端壁の中には前記昇降板と噛合している平歯車が回転できるように設置され、前記平歯車と前記回転歯車との間がベルトにより伝動できるように連結され、前記昇降板の上端には移動溝が設置され、前記移動溝の中には前後に対称している移動ブロックがスライドできるように設置され、前記移動ブロックの間にはトーションばねが固定的に設置され、前記移動ブロックにはハサミが回転できるように設置され、前記ハサミの間が交差し回転できるように連結され、
前記昇降板が下がり前記ハサミを向かい合って回転させ前記編み糸を切断させることを特徴とする請求項３に記載の編み用糸交換装置。
【手続補正２】
【補正対象書類名】明細書
【補正対象項目名】全文
【補正方法】変更
【補正の内容】
【発明の詳細な説明】
【技術分野】
【０００１】
本発明は編み製品技術分野を取り上げて、具体的には編み用糸交換装置である。
【背景技術】
【０００２】
現在、編むときの糸交換操作は人工で手動で行われるが、編み製品を放し、両手で共に操作し交換用の糸と使用中の糸とを結びつける必要があるだけではなく、こういう方式で連結すると、結び目が大きく美しさと快適さに影響し、また、ハサミなどの補助道具が必要とし、携帯に不便である。
従って、既存技術の編み用糸交換装置を更に改善する必要があり、それにより使用利便性を高める。
【先行技術文献】
【特許文献】
【０００３】
【特許文献１】中国特許出願公開第１０８３６０１３５号明細書
【発明の概要】
【発明が解決しようとする課題】
【０００４】
本発明の目的は編み用糸交換装置を提供し、それは上記の現在の技術中の問題を解決できる。
【課題を解決するための手段】
【０００５】
本発明の編み用糸交換装置は、主体を含み、前記主体の中には連通チャンバが設置され、前記連通チャンバの前後側にはスライド溝が連通するように設置され、前側の前記スライド溝の中には押し板がスライドできるように設置され、後側の前記スライド溝の中にはスライドブロックがスライドできるように設置され、前記スライドブロックと前記押し板の下端とがそれぞれ前記スライド溝との間には押しばねが固定的に設置され、前記スライドブロックには前記スライドブロックに対して回転できる回転軸が設置され、前記回転軸の前端には固定ブロックが固定的に設置され、前記固定ブロックの中には押し装置が設置され、前記押し装置と前記固定ブロックとがスライドできるように連結され、前記固定ブロックの前端には前記押し板と当接している固定軸が固定的に設置され、前記連通チャンバの下端壁の中には接着剤溝が連通するように設置され、前記接着剤溝の前後側には凹溝が連通するように設置され、前記凹溝の中にはスライド板がスライドできるように設置され、前記スライド板において互いに離れている一端と前記凹溝との間には復帰ばねが固定的に設置され、前記接着剤溝の下側にはプッシュチャンバが連通するように設置され、前記プッシュチャンバの中にはプッシュブロックがスライドできるように設置され、前記プッシュブロックの上端には固定ロッドが固定的に設置され、前記接着剤溝の前側には連動装置が設置され、前記連動装置と前記固定ロッドとが回転できるように連結され、前記プッシュブロックの中には連通溝が設置され、前記連通溝の中には密封板がスライドできるように設置され、前記密封板の下端と前記連通溝との間には前後に対称している伸縮ばねが固定的に設置され、前記プッシュチャンバの後側には連結溝により接着剤保存チャンバが連通するように設置され、前記連結溝の中には液体の一方向の流れを制御するボール弁がスライドできるように設置され、前記ボール弁の左端と前記連結溝との間には連結ばねが固定的に設置され、前記接着剤溝の外側には伝動装置が設置され、前記伝動装置と前記押し装置とが当接でき、前記主体の右端壁の中には開け溝が設置され、前記開け溝と前記連通チャンバとの間には糸編み溝が連通するように設置され、前記開け溝の下端壁には支持ロッドが固定的に設置され、前記支持ロッドには編み糸が設置され、前記編み糸の左端が前記糸編み溝と前記連通チャンバとを貫通し外部まで伸びて編まれ、前記糸編み溝の外側には切断装置が設置され、前記切断装置が前記編み糸を切ることができ、前記糸編み溝の後側には前記連通チャンバと連通している切り替え溝が設置され、
前記編み糸と交換待ちの糸とが接着剤により連結される。
【０００６】
さらなる技術プラン、前記押し装置は前記固定ブロックの中に設置される押し溝を含み、前記押し溝の中には押しブロックがスライドできるように設置され、前記押しブロックの前端には固定板が固定的に設置され、前記押しブロックには前記押しブロックを復帰させることができる復帰部品が左右に対称的に固定的に設置され、前記押し溝の左右側には対称しているＴ形溝が設置され、前記Ｔ形溝の中には挟みブロックがスライドできるように設置され、前記挟みブロックにおいて互いに近接している一端と前記Ｔ形溝との間には回転ばねが固定的に設置され、
前記押しブロックを下に押し、それにより前記挟みブロックにより糸を挟む。
【０００７】
さらなる技術プラン、前記連動装置は前記連通チャンバと連通している空き溝を含み、前記空き溝の中には押しロッドがスライドできるように設置され、前記押しロッドの下端と前記空き溝との間には圧力ばねが固定的に設置され、前記空き溝と前記プッシュチャンバとの間には回転チャンバが連通するように設置され、前記回転チャンバの中には前端が前記押しロッドの下端と回転できるように連結される回転ロッドが回転できるように設置され、前記回転ロッドの後端と前記固定ロッドの上端とが回転できるように連結され、前記押しロッドが下がり前記プッシュブロックを上昇させ接着剤を前記接着剤溝の中にプッシュし糸を連結する。
【０００８】
さらなる技術プラン、前記伝動装置は前記接着剤溝の左右側に対称的に設置される滑り溝を含み、前記滑り溝の中には挟みスライドブロックがスライドできるように設置され、前記挟みスライドブロックの中には挟み溝が設置され、前記挟みスライドブロックと前記滑り溝との間には圧着ばねが固定的に設置され、右側の前記滑り溝の下端壁にはプッシュ溝が連通するように設置され、前記プッシュ溝の中には上端が前記挟みスライドブロックと当接できる連結ブロックがスライドできるように設置され、前記連結ブロックの下端と前記プッシュ溝との間には押圧ばねが固定的に設置され、前記プッシュ溝の左端壁の中には前記連結ブロックと噛合している回転歯車が回転できるように設置され、前記回転歯車と前記切断装置とが伝動できるように連結され、
前記挟みスライドブロックが向かい合って移動し前記切断装置を作動させる。
【０００９】
さらなる技術プラン、前記切断装置は前記糸編み溝と連通している切断溝を含み、前記切断溝の中には昇降板がスライドできるように設置され、前記切断溝の後端壁の中には前記昇降板と噛合している平歯車が回転できるように設置され、前記平歯車と前記回転歯車との間がベルトにより伝動できるように連結され、前記昇降板の上端には移動溝が設置され、前記移動溝の中には前後に対称している移動ブロックがスライドできるように設置され、前記移動ブロックの間にはトーションばねが固定的に設置され、前記移動ブロックにはハサミが回転できるように設置され、前記ハサミの間が交差し回転できるように連結され、
前記昇降板が下がり前記ハサミを向かい合って回転させ前記編み糸を切断させる。
【発明の効果】
【００１０】
本発明の有益的な効果は：本発明は構造が簡単で、操作が便利であり、片手で操作でき、左手で編みものを持つことに影響を与えなく、時間を節約し、そして、交換の糸が編み糸と連結された後に自動的に切断され、人工操作を減らし、また本発明装置が携帯便利である。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の編み用糸交換装置が使用する装置の内部全体構造概略図
【図２】図２は本発明の図１のＡ―Ａ方向の構造概略図
【図３】図３は本発明の図２のＢの拡大構造概略図
【図４】図４は本発明の図１のＣ―Ｃ方向の構造概略図
【発明を実施するための形態】
【００１３】
図１〜４を参照し、本発明の編み用糸交換装置は、主体１０を含み、前記主体１０の中には連通チャンバ１１が設置され、前記連通チャンバ１１の前後側にはスライド溝１２が連通するように設置され、前側の前記スライド溝１２の中には押し板１８がスライドできるように設置され、後側の前記スライド溝１２の中にはスライドブロック１３がスライドできるように設置され、前記スライドブロック１３と前記押し板１８の下端とがそれぞれ前記スライド溝１２との間には押しばね１４が固定的に設置され、前記スライドブロック１３には前記スライドブロック１３に対して回転できる回転軸１５が設置され、前記回転軸１５の前端には固定ブロック１６が固定的に設置され、前記固定ブロック１６の中には押し装置１００が設置され、前記押し装置１００と前記固定ブロック１６とがスライドできるように連結され、前記固定ブロック１６の前端には前記押し板１８と当接している固定軸１７が固定的に設置され、前記連通チャンバ１１の下端壁の中には接着剤溝２６が連通するように設置され、前記接着剤溝２６の前後側には凹溝２７が連通するように設置され、前記凹溝２７の中にはスライド板２８がスライドできるように設置され、前記スライド板２８において互いに離れている一端と前記凹溝２７との間には復帰ばね２９が固定的に設置され、前記接着剤溝２６の下側にはプッシュチャンバ３１が連通するように設置され、前記プッシュチャンバ３１の中にはプッシュブロック３２がスライドできるように設置され、前記プッシュブロック３２の上端には固定ロッド４０が固定的に設置され、前記接着剤溝２６の前側には連動装置２００が設置され、前記連動装置２００と前記固定ロッド４０とが回転できるように連結され、前記プッシュブロック３２の中には連通溝３３が設置され、前記連通溝３３の中には密封板３４がスライドできるように設置され、前記密封板３４の下端と前記連通溝３３との間には前後に対称している伸縮ばね３５が固定的に設置され、前記プッシュチャンバ３１の後側には連結溝３６により接着剤保存チャンバ３７が連通するように設置され、前記連結溝３６の中には液体の一方向の流れを制御するボール弁３８がスライドできるように設置され、前記ボール弁３８の左端と前記連結溝３６との間には連結ばね３９が固定的に設置され、前記接着剤溝２６の外側には伝動装置３００が設置され、前記伝動装置３００と前記押し装置１００とが当接でき、前記主体１０の右端壁の中には開け溝４３が設置され、前記開け溝４３と前記連通チャンバ１１との間には糸編み溝５０が連通するように設置され、前記開け溝４３の下端壁には支持ロッド４７が固定的に設置され、前記支持ロッド４７には編み糸４８が設置され、前記編み糸４８の左端が前記糸編み溝５０と前記連通チャンバ１１とを貫通し外部まで伸びて編まれ、前記糸編み溝５０の外側には切断装置４００が設置され、前記切断装置４００が前記編み糸４８を切ることができ、前記糸編み溝５０の後側には前記連通チャンバ１１と連通している切り替え溝４９が設置され、前記編み糸４８と交換待ちの糸とが接着剤により連結される。
【００１４】
有益的には、前記押し装置１００は前記固定ブロック１６の中に設置される押し溝２０を含み、前記押し溝２０の中には押しブロック２１がスライドできるように設置され、前記押しブロック２１の前端には固定板３０が固定的に設置され、前記押しブロック２１には前記押しブロック２１を復帰させることができる復帰部品２２が左右に対称的に固定的に設置され、前記押し溝２０の左右側には対称しているＴ形溝２３が設置され、前記Ｔ形溝２３の中には挟みブロック２４がスライドできるように設置され、前記挟みブロック２４において互いに近接している一端と前記Ｔ形溝２３との間には回転ばね２５が固定的に設置され、
前記押しブロック２１を下に押し、それにより前記挟みブロック２４により糸を挟む。
【００１５】
有益的には、前記連動装置２００は前記連通チャンバ１１と連通している空き溝４４を含み、前記空き溝４４の中には押しロッド４５がスライドできるように設置され、前記押しロッド４５の下端と前記空き溝４４との間には圧力ばね４６が固定的に設置され、前記空き溝４４と前記プッシュチャンバ３１との間には回転チャンバ４１が連通するように設置され、前記回転チャンバ４１の中には前端が前記押しロッド４５の下端と回転できるように連結される回転ロッド４２が回転できるように設置され、前記回転ロッド４２の後端と前記固定ロッド４０の上端とが回転できるように連結され、
前記押しロッド４５が下がり前記プッシュブロック３２を上昇させ接着剤を前記接着剤溝２６の中にプッシュし糸を連結する。
【００１６】
有益的には、前記伝動装置３００は前記接着剤溝２６の左右側に対称的に設置される滑り溝６３を含み、前記滑り溝６３の中には挟みスライドブロック６４がスライドできるように設置され、前記挟みスライドブロック６４の中には挟み溝６５が設置され、前記挟みスライドブロック６４と前記滑り溝６３との間には圧着ばね６６が固定的に設置され、右側の前記滑り溝６３の下端壁にはプッシュ溝６０が連通するように設置され、前記プッシュ溝６０の中には上端が前記挟みスライドブロック６４と当接できる連結ブロック５９がスライドできるように設置され、前記連結ブロック５９の下端と前記プッシュ溝６０との間には押圧ばね６１が固定的に設置され、前記プッシュ溝６０の左端壁の中には前記連結ブロック５９と噛合している回転歯車６２が回転できるように設置され、前記回転歯車６２と前記切断装置４００とが伝動できるように連結され、
前記挟みスライドブロック６４が向かい合って移動し前記切断装置４００を作動させる。
【００１７】
有益的には、前記切断装置４００は前記糸編み溝５０と連通している切断溝５１を含み、前記切断溝５１の中には昇降板５３がスライドできるように設置され、前記切断溝５１の後端壁の中には前記昇降板５３と噛合している平歯車５７が回転できるように設置され、前記平歯車５７と前記回転歯車６２との間がベルト５８により伝動できるように連結され、前記昇降板５３の上端には移動溝５４が設置され、前記移動溝５４の中には前後に対称している移動ブロック５５がスライドできるように設置され、前記移動ブロック５５の間にはトーションばね５６が固定的に設置され、前記移動ブロック５５にはハサミ５２が回転できるように設置され、前記ハサミ５２の間が交差し回転できるように連結され、
前記昇降板５３が下がり前記ハサミ５２を向かい合って回転させ前記編み糸４８を切断させる。
【００１８】
初期状態には、編み糸４８の左端が編み製品と連結されており、連通溝３３の上端とプッシュチャンバ３１との間には接着剤がある。
【００１９】
糸を交換するとき、右視点で時計回りに回転軸１５を回転させ、固定軸１７と、固定ブロック１６及び回転軸１５に連通チャンバ１１を開けさせ、交換する必要がある糸を切り替え溝４９により連通チャンバ１１の中に置き、交換の糸の左端が左側の挟みブロック２４の左端に位置しており、回転軸１５を逆方向に回転させ固定ブロック１６を初期状態に戻らせ、そして、押しブロック２１を下に押し、復帰部品２２により固定ブロック１６を共に降下連動させ、それにより挟みブロック２４の下端と挟み溝６５とが挿入し連結され、編み糸４８と交換の糸とを共に挟み、押しブロック２１が下がり続け、それにより復帰部品２２が圧縮され、押しブロック２１の下端がスライド板２８をプッシュし逆方向に移動させ接着剤溝２６を開けさせ、押しブロック２１の下端が二本の糸を共に接着剤溝２６の中まで下に押し、このとき、固定板３０が押しロッド４５を下に押し降下させ、回転ロッド４２によりプッシュブロック３２上昇させ、プッシュブロック３２がプッシュチャンバ３１の中にある接着剤を圧着し接着剤溝２６の中に入らせ二本の糸を連結させ、このとき、ボール弁３８が前に移動し、接着剤保存チャンバ３７の中にある接着剤が連結溝３６によりプッシュチャンバ３１の中に入り、押しブロック２１が二本の糸を接着剤溝２６の中まで下に押す過程で、糸が挟みスライドブロック６４を向かい合って移動連動させ、連結ブロック５９を圧着し降下させ、回転歯車６２が時計回りに回転し、ベルト５８により平歯車５７を回転させ、昇降板５３が下がり、ハサミ５２が向かい合って回転し編み糸４８を切り、そして、押しブロック２１を放し、固定ブロック１６が共に上昇し、押しロッド４５が圧力ばね４６の作用により上昇し、それによりプッシュブロック３２が下がりプッシュチャンバ３１の下側にある接着剤をプッシュチャンバ３１の上側まで押し、挟みスライドブロック６４が圧着ばね６６の作用により逆方向に移動し、糸を伸ばし、それにより糸がスライド板２８の上側に位置しており、装置が初期状態に戻る。
【００２０】
本発明の有益的な効果は：本発明は構造が簡単で、操作が便利であり、片手で操作でき、左手で編みものを持つことに影響を与えなく、時間を節約し、そして、交換の糸が編み糸と連結された後に自動的に切断され、人工操作を減らし、また本発明装置が携帯便利である。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。